(57)【要約】【課題】  人体に加速度計を装着して、その人が静的状態にあるか動的状態にあるかを、また安定状態であるか危険状態であるかを、さらに具体的な動的状態および静的状態を精度よく自動的に判定し、信頼性の高い人の動作および監視方法を提供する。【解決手段】  人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、各軸から得られる加速度を測定し、所定時間における該各加速度の変化量の大きさから静的状態であるか動的状態であるかを判定し、静的状態と判定されたときは、前後方向と重力方向の加速度の大きさから立位、座位、臥位の各姿勢の判別を行うことを特徴とする人の動作および姿勢の監視方法。【選択図】  図１
2005245709.tif 000002
【特許請求の範囲】
【請求項１】
人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、各軸から得られる加速度を測定し、所定時間における該各加速度の変化量の大きさから静的状態であるか動的状態であるかを判定し、静的状態と判定されたときは、前後方向と重力方向の加速度の大きさから立位、座位、臥位の各姿勢の判別を行うことを特徴とする人の動作および姿勢の監視方法。
【請求項２】
人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、各軸から得られる加速度を測定し、所定時間における該各加速度の変化量の大きさから静的状態であるか動的状態であるかを判定し、動的状態と判定されたときは、所定時間における各加速度の値のパワースペクトルを演算し、特定周波数における該スペクトルの分布から歩行、階段の昇り、階段の降りの各動作状態の判別を行うことを特徴とする人の動作および姿勢の監視方法。
【請求項３】
人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、所定時間における各加速度の変化量の大きさから静的状態から動的状態に移行したことの判別を行うことを特徴とする人の動作および姿勢の監視方法。
【請求項４】
人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、所定時間における各加速度の変化量の大きさから静的状態または動的状態から転倒等の危険な動作状態に移行したことの判別を行うことを特徴とする人の動作および姿勢の監視方法。
【発明の詳細な説明】
【技術分野】
【０００１】
この発明は、人体に加速度計を装着して、その人が静的状態にあるか動的状態にあるか、また危険状態にあるか安定状態にあるかを、さらにそれぞれの具体的状態を、より高精度に自動的に判定するための人の動作および姿勢の監視方法に関するものである。
【背景技術】
【０００２】
少子高齢化が急速に進み、特に高齢者の介護は社会問題化している。要介護者の中には、外出すると行方不明になったり、急に倒れたりするおそれがあるため、外出時には付添いの必要な人達がいる。また、今は介護不要でも、身体の衰え等により自由な行動に自信が持てず、家に引きこもりがちな人達もいる。後者は要介護予備軍ともいわれ、近い将来、介護負担増大につながる人達である。
【０００３】
このような人達が一人で外出し自由に行動できるようにして、生きる喜びを持たせ、特に後者の人達が再び社会に貢献できるようにすることは社会的な責務である。そのためには、人の動作状態を、プライバシーを保護しつつ監視し、危険な状態が予測され、あるいは危険な状態になったとき、直ちに救援に駆けつけることのできるシステムが必要である。
【０００４】
そのシステムは従来から提案されており、人体に装着してその人の動作状態を監視するためのセンサとしては、加速度計を使用したものが知られており、人体の腰部に２軸加速度計を装着して、人の体軸方向および前後方向の加速度変化から、その人が立っているか、座っているか、臥しているか、歩行しているか、電車、自動車、自転車に乗車しているか等を判定することが示されている（例えば、非特許文献１参照）。
また、３軸加速度計を装着して、上下方向、前後方向、横方向の直交３軸の加速度変化から、歩行、走行、立位静止、転倒の各状態を判定することが示されている（例えば、特許文献１参照）。
しかし、上記公知文献の技術では、人の具体的な動作状態、特に安定状態なのか危険状態なのかの判定精度が十分には得られず、また動的状態および静的状態の具体的な内容についての判定精度も十分には得られず、信頼性に問題が残されていた。
【非特許文献１】日本機械学会誌１９９６Ｖｏｌ．１０１Ｎｏ．９５０ｐ１４〜１６
【特許文献１】特開平１０−２９５６４９号公報
【発明の開示】
【発明が解決しようとする課題】
【０００５】
本発明が解決しようとする課題は、人体に加速度計を装着して、その人が静的状態にあるか動的状態にあるかを、また安定状態であるか危険状態であるかを判別し、さらには、静的状態のときは立位、座位、臥位の各姿勢の判別をし、動的状態のときは歩行、階段の昇り、階段の降りの各動的状態をも判別することにより、信頼性の高い人の動作および監視方法を提供することである。
【課題を解決するための手段】
【０００６】
本発明者は、上記課題を解決すべく、人の動作および姿勢の監視方法について数多くの理論検討および実験検討を行なった結果、以下の知見を得た。
【０００７】
複雑多様に変化する人の動作状態および姿勢をすべて高精度に判別できるのが最も望ましい技術ではあるが、人の行動パターンを（ａ）立位、座位、臥位の静的状態、（ｂ）歩行、階段の昇り、階段の下りの通常動作、（ｃ）転倒等の危険動作に分類し、これらの基本パターンを判別することができるだけでも、複雑多様に変化する人の動作状態および姿勢の大半をカバーすることができ、上記の社会的要求を満足することができること。
【０００８】
互いに直交する前後方向（Ｘ方向）と左右方向（Ｙ方向）と重力方向（Ｚ方向）とからなる３軸方向の加速度計を人体に装着し、各軸から得られる加速度を測定し、所定時間における該各加速度の変化量の大きさから静的状態であるか動的状態であるかを判別することができること。
具体的には、所定時間Δｔ０＝０．５秒と設定し、下記の３条件をすべて満たしたとき、静的状態と、満たさないときは動的状態にあると判別することができること。
ΔＸ／Δｔ０  ≦  ０．１Ｇ  ・・・・・・・・・  （１）
ΔＹ／Δｔ０  ≦  ０．１Ｇ  ・・・・・・・・・  （２）
ΔＺ／Δｔ０  ≦  ０．１Ｇ  ・・・・・・・・・  （３）
【０００９】
そして、静的状態と判定されたときは、前後方向（Ｘ方向）と重力方向（Ｚ方向）の加速度の大きさから立位、座位、臥位の各姿勢を判別することができること。
また、動的状態と判定されたときは、所定時間における各加速度の値のパワースペクトルを演算し、特定周波数における該スペクトルの分布から歩行、階段の昇り、階段の降りの各動作状態を判別することができること。
【００１０】
また、所定時間における各加速度の変化量の大きさから、静的状態から動的状態への移行を判別することができること。
具体的には、所定時間Δｔ１＝０．５秒と設定し、下記の３条件をすべて満たしたとき、静的状態から動的状態に移行したことを判別することができること。
ΔＸ／Δｔ１  ≧  ０．１Ｇ  ・・・・・・・・・  （４）
ΔＹ／Δｔ１  ≧  ０．１Ｇ  ・・・・・・・・・  （５）
ΔＺ／Δｔ１  ≧  ０．１Ｇ  ・・・・・・・・・  （６）
【００１１】
また、所定時間における各加速度の変化量の大きさから、静的状態または動的状態から転倒等の危険な動作状態への移行を判別することができること。
具体的には、所定時間Δｔ２＝０．２秒と設定し、下記の３条件をすべて満たし、かつ、各加速度の変化に周期性がないとき、静的状態または動的状態から転倒等の危険な動作状態に移行したことを判別することができること。
ΔＸ／Δｔ２  ≧  ３．０Ｇ  ・・・・・・・・・  （７）
ΔＹ／Δｔ２  ≧  １．５Ｇ  ・・・・・・・・・  （８）
ΔＺ／Δｔ２  ≧  １．０Ｇ  ・・・・・・・・・  （９）
【００１２】
上記の知見に基づき、本発明者は人が静的状態にあるか動的状態にあるかを、また安定状態であるか危険状態であるかを、さらには、静的状態のときは立位、座位、臥位の各姿勢を、動的状態のときは歩行、階段の昇り、階段の降りの各動的状態を精度よく自動的に判別する方法に想到した。その要旨とするところは以下のとおりである。
【００１３】
（Ａ）人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、各軸から得られる加速度を測定し、所定時間における該各加速度の変化量の大きさから静的状態であるか動的状態であるかを判定し、静的状態と判定されたときは、前後方向と重力方向の加速度の大きさから立位、座位、臥位の各姿勢の判別を行うことを特徴とする人の動作および姿勢の監視方法。
【００１４】
（Ｂ）人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、各軸から得られる加速度を測定し、所定時間における該各加速度の変化量の大きさから静的状態であるか動的状態であるかを判定し、動的状態と判定されたときは、所定時間における各加速度の値のパワースペクトルを演算し、特定周波数における該スペクトルの分布から歩行、階段の昇り、階段の降りの各動作状態の判別を行うことを特徴とする人の動作および姿勢の監視方法。
【００１５】
（Ｃ）人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、所定時間における各加速度の変化量の大きさから静的状態から動的状態に移行したことの判別を行うことを特徴とする人の動作および姿勢の監視方法。
【００１６】
（Ｄ）人体に加速度計を装着して、該加速度計から得られる加速度を測定し、該加速度の大きさ又は所定時間における加速度の変化量の大きさから、人の動作状態または姿勢を判定する人の動作および姿勢の監視方法において、互いに直交する前後方向と左右方向と重力方向とからなる３軸方向の加速度計を人体に装着し、所定時間における各加速度の変化量の大きさから静的状態または動的状態から転倒等の危険な動作状態に移行したことの判別を行うことを特徴とする人の動作および姿勢の監視方法。
【発明の効果】
【００１７】
本発明によれば、人間の立位、座位、臥位の各姿勢および歩行、階段の昇り、階段の降りの各動作や転倒等の危険動作を高精度で判別することができる。その結果として高齢者などの弱者が、一人で外出するなど安心して自由に行動することができる。
また、プライバシーも保護され、いざというときには、迅速な救援活動を実施することも可能となる。
したがって要介護者にも生きる喜びが与えられ、ひきこもりがちな要介護予備軍には社会的貢献の機会をもたらすことができ、さらには介護者の負担をも著しく軽減することができる。
【発明を実施するための最良の形態】
【００１８】
以下、図１〜図６を参照して、本発明を実施するための最良の形態を説明する。図１は本発明に係る判定方法を示すフローチャート、図２は各動作状態における加速度を示す図、図３は立位、座位、臥位の判定方法を示す図、図４（ａ）、（ｂ）は歩行、階段昇り、階段降りの判定方法を示す図、図５は本発明に係る方法を実施する装置の１形態を示す図、図６は本発明に係る方法を実施する装置の他の形態を示す図である。
【００１９】
本発明は、互いに直交する前後方向（Ｘ方向）と左右方向（Ｙ方向）と重力方向（Ｚ方向）とからなる３軸方向の加速度計を人体に装着し、各軸から得られる加速度の測定値を基に、加速度計を装着した被測定者の動作状態または姿勢を判定するものであり、具体的には、図５または図６に示すように、人体に３軸加速度計２を装着し、各軸の加速度を測定している。
なお、本実施例における加速度計は、ＸＹＺ軸が１つにパッケージングされているＣｒｏｓｓｂｏｗ社のＣＸＬ０４ＬＰ３を使用しているが、本発明における加速度計はこれに限定されるものではない。
【００２０】
図２に各動作状態における加速度の時間的変化を示す。図２（ａ）は立位（立って静止している）状態、（ｂ）は歩行状態、（ｃ）は転倒時の加速度の時間的変化を表した図であり、各軸の加速度は、動作状態に応じて特有の変化を示すことがわかる。
すなわち、立位のような静的状態では加速度の大きさも時間的変化量も小さく、歩行のような動的状態では大きく、転倒時のような異常時には加速度の大きさも変化量もさらに増大する。
本発明は、このような人の動作状態または姿勢に応じて特有の変化を示す加速度を測定し、これを解析することにより、被測定者の動作状態または姿勢を判別しようとするものである。
【００２１】
静的状態であるか、動的状態であるかの判定は、所定時間Δｔ０＝０．５秒と設定し、下記の３条件をすべて満たしたとき静的状態と、満たさないときは動的状態にあると判定する。ここで、（１）式の左辺は、所定時間Δｔ０における前後方向（Ｘ方向）の加速度の変化量（ΔＸ）を示したものである。
ΔＸ／Δｔ０  ≦  ０．１Ｇ  ・・・・・・・・・  （１）
ΔＹ／Δｔ０  ≦  ０．１Ｇ  ・・・・・・・・・  （２）
ΔＺ／Δｔ０  ≦  ０．１Ｇ  ・・・・・・・・・  （３）
【００２２】
そして、静的状態と判定されたときは、前後方向（Ｘ方向）と重力方向（Ｚ方向）の加速度の大きさから立位、座位、臥位の各姿勢の判定を行う。
立位、座位、臥位の各姿勢の判定は、ＸＺ座標プロット図において当該測定した加速度がどの領域に位置するかで判定する。これは、本発明者が数多くの理論検討および実験検討を行った結果、図３に示すように各姿勢に応じてプロットが特定領域に集約されることを利用したものである。
すなわち、立位、座位、臥位の各姿勢の判定は、被測定者に装着した３軸加速度計から得られる前後方向（Ｘ方向）の加速度と重力方向（Ｚ方向）の加速度をプロットし、これが立位判定領域に位置すれば立位と、座位判定領域に位置すれば座位と、臥位判定領域に位置すれば臥位の姿勢であると判定する。
【００２３】
一方、動的状態と判定されたときは、各加速度の値のパワースペクトルを演算し、特定周波数における該スペクトルの分布から歩行、階段の昇り、階段の降りの各動作状態の判定を行う。
歩行、階段の昇り、階段の降りの各動作状態の判定は、当該測定した水平方向（Ｙ方向）および重力方向（Ｚ軸）の加速度値のパワースペクトルをＦＦＴ（高速フーリエ変換法）によって演算し、該スペクトルをそれぞれプロットし、それがどの領域に位置するかで判定する。これも、本発明者が数多くの理論検討および実験検討を行った結果、図４（ａ）および（ｂ）に示すように、各動作状態に応じてプロットが特定領域に集約されることを利用したものである。
すなわち、歩行、階段の昇り、階段の降りの各動作状態の判定は、被測定者に装着した３軸加速度計から得られる水平方向（Ｙ方向）の加速度と重力方向（Ｚ方向）の加速度のパワースペクトルを演算し、これをそれぞれプロットし、これが階段の昇り判定領域に位置すれば階段の昇りと、階段の降り判定領域に位置すれば階段の降り状態であると判定し、前記判定領域以外に位置すれば歩行状態であると判定する。
これにより、被測定者の階段昇降を事前に察知することができ、いざというときには、迅速な救援活動を行うことも可能となる。
【００２４】
以上の方法により、加速度計を装着した被測定者の立位、座位、臥位の静的状態、および歩行、階段の昇り、階段の降りの動作状態を高精度で判別することができるが、所定時間における各加速度の変化量の大きさから、静的状態または動的状態から転倒等の危険な動作状態への移行も判別することができる。
具体的には、所定時間Δｔ２＝０．２秒と設定し、下記の３条件をすべて満たし、かつ、各加速度の変化に周期性がないとき、静的状態または動的状態から転倒等の危険な動作状態に移行したことを判別することができる。
ΔＸ／Δｔ２  ≧  ３．０Ｇ  ・・・・・・・・・  （７）
ΔＹ／Δｔ２  ≧  １．５Ｇ  ・・・・・・・・・  （８）
ΔＺ／Δｔ２  ≧  １．０Ｇ  ・・・・・・・・・  （９）
これにより、被測定者の転倒等の危険状態を察知することができ、いざというときには、迅速な救援活動を行うことも可能となる。
【００２５】
また、所定時間における各加速度の変化量の大きさから、静的状態から動的状態への移行を判別することができる。
具体的には、所定時間Δｔ１＝０．５秒と設定し、下記の３条件をすべて満たしたとき、静的状態から動的状態に移行したことを判別することができる。
ΔＸ／Δｔ１  ≧  ０．１Ｇ  ・・・・・・・・・  （４）
ΔＹ／Δｔ１  ≧  ０．１Ｇ  ・・・・・・・・・  （５）
ΔＺ／Δｔ１  ≧  ０．１Ｇ  ・・・・・・・・・  （６）
【００２６】
本発明において人体に装着する加速度計の位置は、通常の歩行や走行状態では腰部が好ましいが、個人の事情や特性、行動の特性などによっては、つま先、脚、膝、腕、頭などに装着するのがよい場合もある。それぞれに応じて、最も精度よく判定できる部位に装着するのがよい。
【００２７】
なお、本発明に係る方法を実施する装置は、図５に示すように、人体に装着される端末機１と、監視センターに設置される監視機５と、端末機１から監視機５への無線通信手段からなり、端末機１は加速度データを出力する加速度計２と当該データを送信する送信器４を有し、監視機５は端末機１からのデータを受信する受信機６と当該データを処理するホストコンピュータ７を有する。
【００２８】
ホストコンピュータ７は、前述のように、所定時間における加速度の変化量の大きさから静的状態であるか動的状態であるかを判定する機構、静的状態と判定されたときは、前後方向と重力方向の加速度の大きさから立位、座位、臥位の各姿勢の判定を行う機構、動作状態と判定されたときは、所定時間における加速度の値のパワースペクトルを演算する機構、および特定周波数における該スペクトルの分布から歩行、階段の昇り、階段の降りの各動作状態を判定する機構を有している。
また、ホストコンピュータ７は、所定時間における加速度の変化量の大きさから静的状態から動的状態へ移行したことを判定する機構、さらに、静的状態または動作状態から転倒等の危険な動作状態へ移行したことを判定する機構を有している。
図５において入力器８は、判定に際して必要な所定時間、基準となる加速度の変化量の大きさなどについて、各個人の特性に応じた適正値を入力するものである。
【００２９】
本発明に係る方法を実施する装置は、図６に示すように、端末機１が携帯端末３を有するものとし、上記各判定機構を携帯端末３とホストコンピュータ７とで分担させることもできる。全ての判定を携帯端末３で行い、ホストコンピュータ７では適正値の入力、結果の表示、警報発信のみを行うとすることもできる。
また、危険状態と判定された場合の救援活動１１に際して、救援に向かう対象者の所在地は、ＰＨＳやＧＰＳによる位置情報を利用して検出することができる。
【図面の簡単な説明】
【００３０】
【図１】本発明に係る判定方法を示すフローチャートである。
【図２】各動作状態における加速度を示す図である。
【図３】立位、座位、臥位の判定方法を示す図である。
【図４】歩行、階段昇り、階段降りの判定方法を示す図である
【図５】本発明に係る方法を実施する装置の１形態を示す図である。
【図６】本発明に係る方法を実施する装置の他の形態を示す図である。
【符号の説明】
【００３１】
１  端末機
２  ３軸加速度計
３  携帯端末
４  送信器
５  監視機
６  受信器
７  ホストコンピュータ
８  入力器
９  表示器
１０  警報器
１１  救援活動
【図１】
2005245709.tif 000003
【図２】
2005245709.tif 000004
【図３】
2005245709.tif 000005
【図４】
2005245709.tif 000006
【図５】
2005245709.tif 000007
【図６】
2005245709.tif 000008